(57)【特許請求の範囲】
【請求項１】
第１の時間帯に情報を無線パケットとして送信する発呼局と、
前記発呼局から送信される無線パケットを受信するとともに、第２の時間帯に宛先局に送信を行う中継局と、
前記第１の時間帯で前記発呼局からの無線パケットを受信するとともに、前記第２の時間帯で前記中継局からの無線パケットを受信する宛先局とから構成される協調伝送システムであって、
前記宛先局は、
前記発呼局から直接到来する無線パケットを受信して記憶する無線パケット記憶手段と、
前記発呼局から直接受信される無線パケット、および前記第２の時間帯で前記中継局から受信した無線パケットのそれぞれに含まれる雑音の電力の期待値を推定する雑音電力期待値推定手段と、
前記雑音電力期待値推定手段によって推定された無線パケット毎の雑音電力の期待値に基づいて、各無線パケットの重みを導出して重み付け合成を行う重み付け合成手段と、
前記重み付け合成手段により重み付け合成された無線パケットを復調する復調手段と、を備え、
前記雑音電力期待値推定手段は、
前記発呼局から直接受信された無線パケットに含まれる発呼局において付加された既知信号から雑音電力の期待値を推定する直接受信パケット雑音電力期待値推定手段と、
前記中継局を介して受信された無線パケットに含まれる発呼局において付加された既知信号から雑音電力を測定する中継パケット雑音電力測定手段と、
前記中継局を介して受信された無線パケットに含まれる中継局において付加された既知信号から雑音電力の期待値を推定する宛先局雑音電力期待値推定手段と、
前記中継パケット雑音電力測定手段により測定された電力から、前記宛先局雑音電力期待値推定手段により推定された雑音電力の期待値を減算し、前記中継局で付加され、かつ、前記中継局と前記宛先局との間の伝搬路を通過した後に前記宛先局で受信された雑音電力の期待値を推定する中継局雑音電力期待値推定手段と
を備えることを特徴とする協調伝送システム。
【請求項２】
前記発呼局が送信する無線パケットは、複数のＯＦＤＭ（直交符号分割多重）シンボルから構成される既知信号と情報信号部分とから構成され、
前記中継局は、前記発呼局から受信した無線パケットに対して複数のＯＦＤＭシンボルから構成される既知信号を付加する既知信号付加手段を備えることを特徴とする請求項１記載の協調伝送システム。
【請求項３】
前記中継パケット雑音電力測定手段は、前記中継局を介して受信された無線パケットに含まれる、前記発呼局において付加された既知信号に対応する複数シンボルの受信信号に対してサブキャリア毎に四則演算を行って雑音項のみを抽出し、該抽出した雑音項を自乗した値を全てのサブキャリアについて加算し、前記双方の電力として算出することを特徴とする請求項２記載の協調伝送システム。
【請求項４】
前記宛先局雑音電力期待値推定手段は、前記中継局を介して受信された無線パケットに含まれる、前記中継局において付加された既知信号に対応する複数シンボルの受信信号に対してサブキャリア毎に四則演算を行って雑音項のみを抽出し、該抽出した雑音項を自乗した値を全てのサブキャリアについて加算し、該雑音項電力加算結果をサブキャリア数で正規化した値から前記宛先局において付加された雑音電力の期待値を推定することを特徴とする請求項２記載の協調伝送システム。
【請求項５】
前記中継局雑音電力期待値推定手段は、前記中継パケット雑音電力測定手段の出力から、前記宛先局雑音電力期待値推定手段において導出した正規化を行う前の雑音項電力加算結果を減算し、前記中継局と前記宛先局との間の伝達係数の電力を全てのサブキャリアについて加算した値で除算した結果を用いて、前記中継局を介して受信された無線パケットに含まれる前記中継局において付加された雑音電力の期待値を推定することを特徴とする請求項２記載の協調伝送システム。
【請求項６】
発呼局から第１の時間帯に情報を無線パケットとして送信し、中継局で、前記発呼局か
ら送信される無線パケットを受信するとともに、第２の時間帯に該受信した無線パケット
を送信し、宛先局で、前記第１の時間帯で前記発呼局からの無線パケットを受信するとと
もに、前記第２の時間帯で前記中継局からの無線パケットを受信する協調伝送方法であっ
て、
前記宛先局は、
前記第１の時間帯に前記発呼局から直接到来する無線パケットを受信して記憶するステ
ップと、
前記第２の時間帯で前記中継局からの無線パケットを受信するステップと、
前記発呼局から直接受信される無線パケット、および前前記第２の時間帯で記中継局から受信した無線パケットのそれぞれに含まれる雑音の電力の期待値を推定するステップと、
前記推定された無線パケット毎の雑音電力の期待値に基づいて、各無線パケットの重みを導出して重み付け合成を行うステップと、
前記重み付け合成された無線パケットを復調するステップと
を含み、
前記雑音の電力の期待値を推定するステップは、
前記発呼局から直接受信された無線パケットに含まれる発呼局において付加された既知信号から雑音電力の期待値を推定する直接受信パケット雑音電力期待値推定ステップと、
前記中継局を介して受信された無線パケットに含まれる発呼局において付加された既知信号から雑音電力を測定する中継パケット雑音電力測定ステップと、
前記中継局を介して受信された無線パケットに含まれる中継局において付加された既知信号から雑音電力の期待値を推定する宛先局雑音電力期待値推定ステップと、
前記中継パケット雑音電力測定ステップにより測定された電力から、前記宛先局雑音電力期待値推定ステップにより推定された雑音電力の期待値を減算し、前記中継局で付加され、かつ、前記中継局と前記宛先局との間の伝搬路を通過した後に前記宛先局で受信された雑音電力の期待値を推定する中継局雑音電力期待値推定ステップと
を含むことを特徴とする協調伝送方法。
【請求項７】
第１の時間帯で発呼局から送信された無線パケットを受信するとともに、前記発呼局が前記第１の時間帯で送信した無線パケットを受信した中継局が第２の時間帯で送信した前記無線パケットを受信する受信局であって、
前記発呼局から直接到来する無線パケットを受信して記憶する無線パケット記憶手段と、
前記発呼局から直接受信される無線パケット、および前記第２の時間帯で前記中継局から受信した無線パケットのそれぞれに含まれる雑音の電力の期待値を推定する雑音電力期待値推定手段と、
前記雑音電力期待値推定手段によって推定された無線パケット毎の雑音電力の期待値に基づいて、各無線パケットの重みを導出して重み付け合成を行う重み付け合成手段と、
前記重み付け合成手段により重み付け合成された無線パケットを復調する復調手段と
を備え、
前記雑音電力期待値推定手段は、
前記発呼局から直接受信された無線パケットに含まれる発呼局において付加された既知信号から雑音電力の期待値を推定する直接受信パケット雑音電力期待値推定手段と、
前記中継局を介して受信された無線パケットに含まれる発呼局において付加された既知信号から雑音電力を測定する中継パケット雑音電力測定手段と、
前記中継局を介して受信された無線パケットに含まれる中継局において付加された既知信号から雑音電力の期待値を推定する宛先局雑音電力期待値推定手段と、
前記中継パケット雑音電力測定手段により測定された電力から、前記宛先局雑音電力期待値推定手段により推定された雑音電力の期待値を減算し、前記中継局で付加され、かつ、前記中継局と前記宛先局との間の伝搬路を通過した後に前記宛先局で受信された雑音電力の期待値を推定する中継局雑音電力期待値推定手段と
を備えることを特徴とする受信局。
【発明の詳細な説明】
【技術分野】
【０００１】
本発明は、ディジタル無線通信システムにおいて伝送距離やエリアの拡張、伝送品質の向上を目的とした、発呼局と宛先局の間に中継局を介して無線伝送を行う協調伝送システム、協調伝送方法および受信局に関する。
【背景技術】
【０００２】
従来より、発呼局、中継局、宛先局から構成され、発呼局と宛先局とが中継局を介して無線伝送を行う協調無線通信システムが知られている。図５（ａ）、（ｂ）は、協調無線通信システムの構成、基本動作を説明するためのブロック図である。図において、発呼局１、中継局２、宛先局３の全てが１本の送受信アンテナを有している。中継局２は、１台であり、受信した信号を復号せずに増幅するだけで、宛先局３へと転送するＡＦ（Amplify and Forward）と呼ばれる転送方法を用いる。
【０００３】
各局における送受信は、パケット長と同一の時間範囲（以下、タイムスロットと呼ぶ）単位に同期して行われ、通信は、２つのタイムスロットを１つの単位として行われる。図５（ａ）に示すように、１つ目のタイムスロットでは、発呼局１から送信された無線パケットは、宛先局３へ直接到達するとともに、中継局２へも到達する。宛先局３および中継局２は、１つ目のタイムスロットにおいて発呼局１から送信された無線パケットを受信して記憶する。
【０００４】
次に、図５（ｂ）に示すように、２つ目のタイムスロットでは、中継局２は、１つ目のタイムスロットにおいて記憶した無線パケットを宛先局３へと送信する。宛先局３は、中継局２から送信された無線パケットを受信し、該パケットと１つ目のタイムスロットにおいて受信して記憶した無線パケットとを合成することにより、協調伝送によるダイバーシチ利得を得る。この結果、伝送距離の延長や、安定した通信が実現可能となる。
【０００５】
ここで、無線パケットの変調方式としてＯＦＤＭを用いる場合について考える。ＯＦＤＭ信号のあるサブキャリアｉ（１≦ｉ≦Ｉ）に着目する。１つ目のタイムスロットにおいて発呼局１から送信された信号をｓ（ｉ）、中継局２における受信信号をｙ（ｉ）、発呼局１と中継局２との間の伝達関数をｈＳＲ（ｉ）、中継局２において付加される雑音をｎＲ１（ｉ）とすると、発呼局１の送信信号と中継局２の受信信号との間の関係は、次式（１）で表される。
【０００６】
【数１】
0004928487.tif 000002
【０００７】
また、同一タイムスロットにおいて、宛先局３は、発呼局１から直接到来する無線パケットを受信する。受信信号をｒ１（ｉ）とし、宛先局３において付加される雑音をｎＤ１（ｉ）とすると、受信信号は、次式（２）で表される。
【０００８】
【数２】
0004928487.tif 000003
【０００９】
次に、２つ目のタイムスロットでは、中継局２は、１つ目のタイムスロットにおける受信信号ｙ（ｉ）を宛先局３に送信する。宛先局３における受信信号をｒ２（ｉ）とし、付加される雑音をｎＤ２（ｉ）とすると、宛先局３における受信信号ｒ２（ｉ）は、次式（３）で表わされる。
【００１０】
【数３】
0004928487.tif 000004
【００１１】
宛先局３では、各タイムスロットにおいて受信した信号ｒ１（ｉ）とｒ２（ｉ）とを最大比合成することにより、ダイバーシチ利得を得る。受信信号ｒ１（ｉ）とｒ２（ｉ）のそれぞれに対する最大比合成重みｗ１（ｉ）、ｗ２（ｉ）は、各々、以下の数式（４）、（５）で与えられる。
【００１２】
【数４】
0004928487.tif 000005
【００１３】
【数５】
0004928487.tif 000006
【００１４】
ここで、σＤ１２、σＲ１２、σＤ２２は、それぞれ雑音ｎＤ１、ｎＲ１、ｎＤ２の平均電力である（白色ガウス雑音を仮定し、サブキャリアによらず一定値となる）。最大比合成後の信号ｒ（ｉ）は、以下の数式（６）で表される。
【００１５】
【数６】
0004928487.tif 000007
【００１６】
ここで、雑音電力が受信装置において既知であるとの仮定を用い、理想状態の場合におけるシステムモデルが提案されている（非特許文献１）。
【非特許文献１】IEEE JOURNAL ON SELECTED AREAS IN COMMUNICATIONS,VOL.22,No.6,AUGUST 2004 ‘Fading Relay Channels: Performance Limits and Space-Time Signal Design’,Rohit U. Nabar,Helmut Bolckei,Felix W. Kneubuhler
【発明の開示】
【発明が解決しようとする課題】
【００１７】
ところで、協調無線通信システムの場合、宛先局３において合成の対象となる各パケットは、互いに異なる伝搬路を通過して受信される。したがって、各パケットの無線区間における減衰量は、一般的に互いに異なる。それに伴い、宛先局３へ直接到来するパケットと中継局２を介して到来するパケットとのそれぞれにおいて観測される雑音の電力の期待値も互いに異なる。さらに、中継局２を経由して受信されるパケットに関しては、雑音源が中継局２と宛先局３の２つの局に存在し、中継局２において発生した雑音は、中継局２と宛先局３との間の伝搬路において、サブキャリア毎に固有の利得で増幅され、宛先局３に受信される。
【００１８】
したがって、中継局２を介して受信されるパケットのサブキャリア毎の雑音電力の期待値を推定するためには、中継局２で付加される雑音の電力の期待値、中継局２と宛先局３との間の伝達係数、宛先局３で付加される雑音の電力の期待値を、それぞれ個別に導出する必要がある。しかしながら、上述した特許文献１、２および非特許文献１の技術では、各々の雑音電力の期待値は、既知であると仮定されており、具体的な雑音電力推定方法に関する提案が行われていなかった。
【００１９】
本発明は、このような事情を考慮してなされたものであり、その目的は、宛先局のみで雑音電力を推定することができることにより、伝送効率を向上させることができる協調伝送システム、協調伝送方法、および受信局を提供することにある。
【課題を解決するための手段】
【００２０】
上述した課題を解決するために、本発明は、第１の時間帯に情報を無線パケットとして送信する発呼局と、前記発呼局から送信される無線パケットを受信するとともに、第２の時間帯に宛先局に送信を行う中継局と、前記第１の時間帯で前記発呼局からの無線パケットを受信するとともに、前記第２の時間帯で前記中継局からの無線パケットを受信する宛先局とから構成される協調伝送システムであって、前記宛先局は、前記発呼局から直接到来する無線パケットを受信して記憶する無線パケット記憶手段と、前記発呼局から直接受信される無線パケット、および前記第２の時間帯で前記中継局から受信した無線パケットのそれぞれに含まれる雑音の電力の期待値を推定する雑音電力期待値推定手段と、前記雑音電力期待値推定手段によって推定された無線パケット毎の雑音電力の期待値に基づいて、各無線パケットの重みを導出して重み付け合成を行う重み付け合成手段と、前記重み付け合成手段により重み付け合成された無線パケットを復調する復調手段と、を備え、前記雑音電力期待値推定手段は、前記発呼局から直接受信された無線パケットに含まれる発呼局において付加された既知信号から雑音電力の期待値を推定する直接受信パケット雑音電力期待値推定手段と、前記中継局を介して受信された無線パケットに含まれる発呼局において付加された既知信号から雑音電力を測定する中継パケット雑音電力測定手段と、前記中継局を介して受信された無線パケットに含まれる中継局において付加された既知信号から雑音電力の期待値を推定する宛先局雑音電力期待値推定手段と、前記中継パケット雑音電力測定手段により測定された電力から、前記宛先局雑音電力期待値推定手段により推定された雑音電力の期待値を減算し、前記中継局で付加され、かつ、前記中継局と前記宛先局との間の伝搬路を通過した後に前記宛先局で受信された雑音電力の期待値を推定する中継局雑音電力期待値推定手段とを備えることを特徴とする協調伝送システムである。
【００２３】
本発明は、上記の発明において、前記発呼局が送信する無線パケットは、複数のＯＦＤＭ（直交符号分割多重）シンボルから構成される既知信号と情報信号部分とから構成され、前記中継局は、前記発呼局から受信した無線パケットに対して複数のＯＦＤＭシンボルから構成される既知信号を付加する既知信号付加手段を備えることを特徴とする。
【００２４】
本発明は、上記の発明において、前記中継パケット雑音電力測定手段は、前記中継局を介して受信された無線パケットに含まれる、前記発呼局において付加された既知信号に対応する複数シンボルの受信信号に対してサブキャリア毎に四則演算を行って雑音項のみを抽出し、該抽出した雑音項を自乗した値を全てのサブキャリアについて加算し、前記双方の電力として算出することを特徴とする。
【００２５】
本発明は、上記の発明において、前記宛先局雑音電力期待値推定手段は、前記中継局を介して受信された無線パケットに含まれる、前記中継局において付加された既知信号に対応する複数シンボルの受信信号に対してサブキャリア毎に四則演算を行って雑音項のみを抽出し、該抽出した雑音項を自乗した値を全てのサブキャリアについて加算し、該雑音項電力加算結果をサブキャリア数で正規化した値から前記宛先局において付加された雑音電力の期待値を推定することを特徴とする。
【００２６】
本発明は、上記の発明において、前記中継局雑音電力期待値推定手段は、前記中継パケット雑音電力測定手段の出力から、前記宛先局雑音電力期待値推定手段において導出した正規化を行う前の雑音項電力加算結果を減算し、前記中継局と前記宛先局との間の伝達係数の電力を全てのサブキャリアについて加算した値で除算した結果を用いて、前記中継局を介して受信された無線パケットに含まれる前記中継局において付加された雑音電力の期待値を推定することを特徴とする。
【００２７】
また、上述した課題を解決するために、本発明は、発呼局から第１の時間帯に情報を無線パケットとして送信し、中継局で、前記発呼局から送信される無線パケットを受信するとともに、第２の時間帯に該受信した無線パケットを送信し、宛先局で、前記第１の時間帯で前記発呼局からの無線パケットを受信するとともに、前記第２の時間帯で前記中継局からの無線パケットを受信する協調伝送方法であって、前記宛先局は、前記第１の時間帯に前記発呼局から直接到来する無線パケットを受信して記憶するステップと、前記第２の時間帯で前記中継局からの無線パケットを受信するステップと、前記発呼局から直接受信される無線パケット、および前前記第２の時間帯で記中継局から受信した無線パケットのそれぞれに含まれる雑音の電力の期待値を推定するステップと、前記推定された無線パケット毎の雑音電力の期待値に基づいて、各無線パケットの重みを導出して重み付け合成を行うステップと、前記重み付け合成された無線パケットを復調するステップとを含み、前記雑音の電力の期待値を推定するステップは、前記発呼局から直接受信された無線パケットに含まれる発呼局において付加された既知信号から雑音電力の期待値を推定する直接受信パケット雑音電力期待値推定ステップと、前記中継局を介して受信された無線パケットに含まれる発呼局において付加された既知信号から雑音電力を測定する中継パケット雑音電力測定ステップと、前記中継局を介して受信された無線パケットに含まれる中継局において付加された既知信号から雑音電力の期待値を推定する宛先局雑音電力期待値推定ステップと、前記中継パケット雑音電力測定ステップにより測定された電力から、前記宛先局雑音電力期待値推定ステップにより推定された雑音電力の期待値を減算し、前記中継局で付加され、かつ、前記中継局と前記宛先局との間の伝搬路を通過した後に前記宛先局で受信された雑音電力の期待値を推定する中継局雑音電力期待値推定ステップとを含むことを特徴とする協調伝送方法である。
【００２８】
また、上述した課題を解決するために、本発明は、第１の時間帯で発呼局から送信された無線パケットを受信するとともに、前記発呼局が前記第１の時間帯で送信した無線パケットを受信した中継局が第２の時間帯で送信した前記無線パケットを受信する受信局であって、前記発呼局から直接到来する無線パケットを受信して記憶する無線パケット記憶手段と、前記発呼局から直接受信される無線パケット、および前記第２の時間帯で前記中継局から受信した無線パケットのそれぞれに含まれる雑音の電力の期待値を推定する雑音電力期待値推定手段と、前記雑音電力期待値推定手段によって推定された無線パケット毎の雑音電力の期待値に基づいて、各無線パケットの重みを導出して重み付け合成を行う重み付け合成手段と、前記重み付け合成手段により重み付け合成された無線パケットを復調する復調手段とを備え、前記雑音電力期待値推定手段は、前記発呼局から直接受信された無線パケットに含まれる発呼局において付加された既知信号から雑音電力の期待値を推定する直接受信パケット雑音電力期待値推定手段と、前記中継局を介して受信された無線パケットに含まれる発呼局において付加された既知信号から雑音電力を測定する中継パケット雑音電力測定手段と、前記中継局を介して受信された無線パケットに含まれる中継局において付加された既知信号から雑音電力の期待値を推定する宛先局雑音電力期待値推定手段と、前記中継パケット雑音電力測定手段により測定された電力から、前記宛先局雑音電力期待値推定手段により推定された雑音電力の期待値を減算し、前記中継局で付加され、かつ、前記中継局と前記宛先局との間の伝搬路を通過した後に前記宛先局で受信された雑音電力の期待値を推定する中継局雑音電力期待値推定手段とを備えることを特徴とする受信局である。
【発明の効果】
【００２９】
この発明によれば、宛先局は、発呼局から直接到来する無線パケットを受信して記憶し、発呼局から直接受信され、記憶している無線パケット、および第２の時間帯で中継局から受信した無線パケットのそれぞれに含まれる雑音の電力の期待値を推定し、該推定された無線パケット毎の雑音電力の期待値に基づいて、各無線パケットの重みを導出して重み付け合成を行い、重み付け合成された無線パケットを復調する。したがって、宛先局のみで雑音電力を推定することができる。これにより、他局からのフィードバック情報が不要となり、伝送効率を向上させることができる。また、パケット毎に雑音電力の期待値を推定することができるため、高速フェージング環境における伝搬路のＳＮＲの変動に対しても対応可能となる。また、雑音電力が宛先局側で既知である場合と同様に、協調伝送を用いることによる直接通信に対するダイバーシチ利得を得ることができる。
【００３０】
また、本発明によれば、発呼局から直接受信された無線パケットに含まれる雑音電力の期待値を推定し、中継局を介して受信された無線パケットに含まれる、宛先局において付加された雑音電力の期待値を推定することで、無線パケットのそれぞれに含まれる雑音の電力の期待値を推定する。したがって、宛先局のみで雑音電力を推定することができることにより、伝送効率を向上させることができる。
【００３１】
また、本発明によれば、中継局を介して受信された無線パケットに含まれる、中継局で付加され、さらに中継局と宛先局の間の伝搬路を通過した後に宛先局で受信された雑音と、宛先局で付加された雑音との双方の電力を測定し、中継局を介して受信された無線パケットに含まれる、宛先局において付加された雑音電力の期待値を推定し、測定された電力から、推定された雑音電力の期待値を減算し、中継局で付加され、かつ中継局と宛先局との間の伝搬路を通過した後に宛先局で受信された雑音電力の期待値を推定する。したがって、宛先局のみで雑音電力を推定することができることにより、伝送効率を向上させることができる。
【００３２】
また、この発明によれば、発呼局が送信する無線パケットを、複数のＯＦＤＭ（直交符号分割多重）シンボルから構成される既知信号と情報信号部分とから構成し、中継局は、発呼局から受信した無線パケットに対して複数のＯＦＤＭシンボルから構成される既知信号を付加する。したがって、宛先局のみで雑音電力を推定することができることにより、伝送効率を向上させることができる。
【００３３】
また、この発明によれば、中継局を介して受信された無線パケットに含まれる、発呼局において付加された既知信号に対応する複数シンボルの受信信号に対してサブキャリア毎に四則演算を行って雑音項のみを抽出し、該抽出した雑音項を自乗した値を全てのサブキャリアについて加算し、双方の電力を算出する。したがって、宛先局のみで雑音電力を推定することができることにより、伝送効率を向上させることができる。
【００３４】
また、この発明によれば、中継局を介して受信された無線パケットに含まれる、中継局において付加された既知信号に対応する複数シンボルの受信信号に対してサブキャリア毎に四則演算を行って雑音項のみを抽出し、該抽出した雑音項を自乗した値を全てのサブキャリアについて加算し、該雑音項電力加算結果をサブキャリア数で正規化した値から宛先局において付加された雑音電力の期待値を推定する。したがって、宛先局のみで雑音電力を推定することができることにより、伝送効率を向上させることができる。
【００３５】
また、この発明によれば、測定した電力から、正規化を行う前の雑音項電力加算結果を減算し、中継局と宛先局との間の伝達係数の電力を全てのサブキャリアについて加算した値で除算した結果を用いて、中継局を介して受信された無線パケットに含まれる中継局において付加された雑音電力の期待値を推定する。したがって、宛先局のみで雑音電力を推定することができることにより、伝送効率を向上させることができる。
【発明を実施するための最良の形態】
【００３６】
以下、本発明の一実施形態を、図面を参照して説明する。
【００３７】
（本発明の原理）
まず、本発明の原理について説明する。なお、協調無線通信システムの構成については、図５を参照して説明する。本発明では、雑音を推定するために、パケット毎に付加される既知信号として繰り返し部分を有するものを用い、繰り返し部分の差分の自乗値を元に、各パケットに含まれる雑音電力をパケット毎に推定する。発呼局１が送信するパケットの既知信号部分には、同一のＯＦＤＭシンボルが繰り返し２回含まれているものとする。１つ目のタイムスロットにおける、あるサブキャリアｉ（１≦ｉ≦Ｉ、ＩはＯＦＤＭシンボル全体のサブキャリア本数）に対する既知信号をｃ（ｉ）とし、宛先局３における既知信号の繰り返し部分に対応する受信信号をｐ１１（ｉ）、ｐ１２（ｉ）とすると、それぞれ次式（７）、（８）で表わされる。
【００３８】
【数７】
0004928487.tif 000008
【００３９】
【数８】
0004928487.tif 000009
【００４０】
ここで、ｎＤ１１（ｉ）、ｎＤ１２（ｉ）は、各々、ｐ１１（ｉ）、ｐ１２（ｉ）に含まれる雑音成分であり、平均電力は、データ部分と同様に、σＤ１２である。本発明では、繰り返し信号の差分（ｐ１１（ｉ）−ｐ１２（ｉ））と、その複素共役を乗算した値である（ｐ１１（ｉ）−ｐ１２（ｉ））（ｐ１１（ｉ）−ｐ１２（ｉ））＊を、次式（９）に従って、全てのサブキャリアに対して総和ｆＤ１を取り、これをσＤ１２の電力を推定するための評価関数として用いる。
【００４１】
【数９】
0004928487.tif 000010
【００４２】
既知信号のパターンとしては、１シンボル目と２シンボル目とで異なるものを用いても構わない。その場合には、数式（９）における既知信号成分をキャンセルするための演算がｐ１１（ｉ）−ｐ１２（ｉ）とは異なった形になる。例えば、繰り返し部分の１シンボル目がｃ（ｉ）、２シンボル目が−ｃ（ｉ）である場合、既知信号成分をキャンセルするための演算は、ｐ１１（ｉ）＋ｐ１２（ｉ）となる。ここで、ｎＤ１１（ｉ）およびｎＤ１２（ｉ）は、互いに無相関である白色雑音であるため、ｎＤ１１（ｉ）とｎＤ１２（ｉ）の乗算項の全サブキャリアに対する総和の期待値は０になる。
【００４３】
したがって、サブキャリア数が十分大きい場合において、ｆＤ１は、次式（１０）で表わされるように近似することができる。
【００４４】
【数１０】
0004928487.tif 000011
【００４５】
上記数式（１０）の近似後の各項は、雑音電力の観測値を全サブキャリアに渡り加算している。したがって、サブキャリア数Ｉが十分大きい場合において、ｆＤ１の近似式を構成する各項は、雑音項１つ当たりの平均電力σＤ１２とサブキャリア数Ｉの積σＤ１２Ｉに漸近することが期待できる。上述した考え方に基づき、本発明では、σＤ１２の推定値としてｆＤ１／２Ｉを用いる。
【００４６】
ｆＤ１と同様の演算を、中継局２を経由したパケットに対しても用いる。２つ目のタイムスロットにおいて宛先局が受信したパケットに含まれる、発呼局１において付加された基地信号部分に対応するものを、次式（１１）、（１２）で表わされるように、ｐ２１（ｉ）、ｐ２２（ｉ）とする。
【００４７】
【数１１】
0004928487.tif 000012
【００４８】
【数１２】
0004928487.tif 000013
【００４９】
ここで、ｎＲ１１（ｉ）およびｎＲ１２（ｉ）は、１つ目のタイムスロットにおいて、中継局２が既知信号を受信する際に付加される雑音であり、平均電力は、σＲ１２である。また、ｎＤ２１（ｉ）およびｎＤ２２（ｉ）は、２つ目のタイムスロットにおいて宛先局３でプリアンブル部分に付加される雑音であり、平均電力は、σＤ２２とする。ｆＤ１と同様に、中継局２を経由して宛先局において受信されたパケットに含まれる雑音電力を推定するために、繰り返し信号の差分とその複素共役を乗算した値の、全てのサブキャリアに対する総和ｆＲ１Ｄ２を次式（１３）により導出する。
【００５０】
【数１３】
0004928487.tif 000014
【００５１】
全ての雑音項が互いに無相関であり、ｈＲＤ（ｉ）が全ての雑音項に対して独立であるレイリー分布に従う伝達係数であるとすると、自乗項を含まない全ての項の平均値は０となる。したがって、サブキャリア数Ｉが十分大きい場合、ｆＲ１Ｄ２は、次式（１４）のように近似できる。
【００５２】
【数１４】
0004928487.tif 000015
【００５３】
ｆＲ１Ｄ２は、中継局２を経由して宛先局３へ受信されたパケットの、２ＯＦＤＭシンボルからなる既知信号に含まれる雑音電力の総和を示す。したがって、ｆＲ１Ｄ２／（２Ｉ）により、サブキャリア当たりの平均の雑音電力を推定することが可能である。しかしながら、ｒ２（ｉ）に含まれる雑音項のうち、中継局２において付加される雑音には、ｈＲＤ（ｉ）が乗算されているため、実際に各サブキャリアで付加される雑音の電力の期待値は、サブキャリア毎に異なる。したがって、重みｗ２（ｉ）を導出するためには、中継局２において付加される雑音と、宛先局３において付加される雑音とをそれぞれ個別に導出する必要がある。
【００５４】
そこで、本発明では、中継局２においてパケットに追加の既知信号を付加して、始めに宛先局３において付加される雑音の電力の期待値のみを推定する。追加の既知信号に対応する宛先局３における受信信号を、次式（１５）、（１６）で表わすように、ｐ２３（ｉ）、ｐ２４（ｉ）とする。
【００５５】
【数１５】
0004928487.tif 000016
【００５６】
【数１６】
0004928487.tif 000017
【００５７】
ここで、ｎＤ２３（ｉ）およびｎＤ２４（ｉ）は、中継局２において付加された既知信号に対応する受信信号に、宛先局３において印加される雑音項を表し、その平均電力をσＤ２２とする。ｆＤ１と同様に、ｐ２３（ｉ）、ｐ２４（ｉ）から、次式（１７）に従って、追加の既知信号に含まれる全サブキャリアの雑音電力の和である関数ｆＤ２を導出する。
【００５８】
【数１７】
0004928487.tif 000018
【００５９】
ｎＤ２３（ｉ）とｎＤ２４（ｉ）は、互いに無相関であるため、数式（１０）で示すｆＤ１と同様に自乗項を含まない項の平均値は０となるので、上記数式（１７）の近似を用いることができる。ｆＤ２の近似式を構成する各項は、雑音項１つ当たりの平均電力σＤ２２とサブキャリア数Ｉの積σＤ２２Ｉに漸近することが期待できる。したがって、本発明では、σＤ２２の推定値としてｆＤ２／２Ｉを用いる。中継局２において追加で既知信号を付加する目的は、宛先局３においてσＤ２２を単独で導出するためである。
【００６０】
さらに、σＲ１２を推定するために、本発明では、次式（１８）で示すように関数ｆＲ１を導出する。
【００６１】
【数１８】
0004928487.tif 000019
【００６２】
関数ｆＤ２は２ＩσＤ２２の近似値として扱うため、これをｆＲ１から除算することにより、ｆＲ１に含まれるｎＤ２１（ｉ）、ｎＤ２２（ｉ）の項を近似的にキャンセルすることができる。
【００６３】
【数１９】
0004928487.tif 000020
【００６４】
ｆＲ１から直接σＲ１２を推定することは困難であるため、その代替として、本発明では、次式（２０）で示すように、中継局２から宛先局３への伝達関数の電力を、全サブキャリアの和でｆＲ１を正規化したｆＲ１’を、σＲ１２の推定値として用いる。
【００６５】
【数２０】
0004928487.tif 000021
【００６６】
ｆＲ１’は、厳密には、ｎＲ１１（ｉ）およびｎＲ１２（ｉ）の平均電力を推定しているわけではないが、サブキャリア数が十分に多い場合においては、σＲ１２に漸近することが期待できる。そこで、本発明においては、ｆＲ１’をσＲ１２の推定値として用いる。
【００６７】
以上、導出したｆＤ１、ｆＤ２、ｆＲ１’を用いて、最大比合成重みｗ１（ｉ）、ｗ２（ｉ）は、次式（２１）、（２２）に従って計算される。
【００６８】
【数２１】
0004928487.tif 000022
【００６９】
【数２２】
0004928487.tif 000023
【００７０】
（実施例）
図１は、本発明の実施形態による協調伝送システムの各局の構成を示すブロック図である。図において、発呼局１は、ＯＦＤＭ変調手段１−１を備えている。該ＯＦＤＭ変調手段１−１は、送信情報を、ＯＦＤＭ変調が施された無線パケットに変換し、送信アンテナにより、１つ目のタイムスロットにおいて、中継局２と宛先局３へと送信する。
【００７１】
中継局２は、ＴＤＤスイッチ２−１、復調手段２−２、既知信号多重化手段２−３、および変調手段２−４から構成されている。ＴＤＤスイッチ２−１は、１つ目のタイムスロットにおいて、送受信アンテナで受信した受信信号を復調手段２−２に供給し、２つ目のタイムスロットにおいて、変調手段２−４で変調された送信信号を送受信アンテナに供給する。復調手段２−２は、１つ目のタイムスロットにおいて送受信アンテナにより受信された、発呼局１から到来する無線パケットを、ベースバンドデジタル信号に変換して記憶する。既知信号多重化手段２−３は、記憶された無線パケットに対して、２ＯＦＤＭシンボルから構成される既知信号を付加する。変調手段２−４は、２つ目のタイムスロットにおいて、既知信号が付加された無線パケットを、ベースバンドデジタル信号から無線周波数のアナログ信号に変換し、宛先局３に送信する。
【００７２】
宛先局３は、復調手段３−１、高速フーリエ変換手段３−２、無線パケット記憶手段３−３、重み付け合成手段３−４、雑音電力期待値推定手段３−５、および復号手段３−６から構成されている。復調手段３−１は、１つ目のタイムスロットにおいて、受信アンテナにより受信された、発呼局１から直接到来する無線パケットを、ベースバンドデジタル信号に変換する。高速フーリエ変換手段３−２は、サブキャリア毎の受信ベースバンド信号に変換する。無線パケット記憶手段３−３は、上記サブキャリア毎の受信ベースバンド信号を２つ目のタイムスロットに至るまでの間、記憶する。
【００７３】
また、雑音電力期待値推定手段３−５は、直接受信パケット雑音電力期待値推定手段３−５−１、および中継パケット雑音電力期待値推定手段３−５−２から構成されている。上記高速フーリエ変換手段３−２の出力のうち、既知信号に該当する部分（例えば、無線パケットに含まれるプリアンブル部分を想定）は、雑音電力期待値推定手段３−５にも供給される。直接受信パケット雑音電力期待値推定手段３−５−１は、発呼局１から直接受信される無線パケットの既知信号部分に含まれる雑音電力の観測値ｆＤ１を、数式（７）で表される１つ目の既知信号に対応する受信信号ｐ１１（ｉ）と、数式（８）で表される２つ目の既知信号に対応する受信信号ｐ１２（ｉ）とから数式（９）を用いて導出する。
【００７４】
ｆＤ１は、サブキャリア数が十分大きい場合においては、直接受信される無線パケットに含まれるサブキャリアあたりの雑音電力とサブキャリア本数（Ｉ）との積を２倍した値に漸近するため、ｆＤ１／（２Ｉ）がσＤ１２の推定値として、重み付け合成手段３−４に供給される。
【００７５】
また、中継パケット雑音電力期待値推定手段３−５−２は、２つ目のタイムスロットにおいて、中継局２で中継されて受信された無線パケットの信号から、中継局２で付加された雑音と、宛先局３で付加された雑音の双方を導出する。該中継パケット雑音電力期待値推定手段３−５−２は、中継パケット雑音電力測定手段３−５−２−１、宛先局雑音電力期待値推定手段３−５−２−２、および中継局雑音電力期待値推定手段３−５−２−３から構成されている。
【００７６】
中継パケット雑音電力測定手段３−５−２−１は、中継された無線パケットの受信信号に含まれる、発呼局１において付加された既知信号に対応する受信信号を用いて、中継局２で付加され、さらに中継局２と宛先局３の間の伝搬路を通過した後に宛先局３で受信された雑音と、宛先局３で付加された雑音との双方の電力観測値に対して、数式（１１）、（１２）、（１３）に示される演算を行い、ｆＲ１Ｄ２を算出し、中継局雑音電力期待値推定手段３−５−２−３に供給する。
【００７７】
宛先局雑音電力期待値推定手段３−５−２−２は、２つ目のタイムスロットにおいて、中継局２で付加された既知信号に対応する受信信号に対して、上記数式（１５）、数式（１６）、数式（１７）に示される演算を行うことにより、雑音電力の観測値ｆＤ２を導出する。ｆＤ２は、サブキャリア数が十分大きい場合においては、直接受信される無線パケットに含まれるサブキャリア当たりの雑音電力とサブキャリア本数（Ｉ）との積を２倍した値に漸近するため、ｆＤ２／（２Ｉ）がσＤ２２の推定値として、重み付け合成手段３−４に供給されるとともに、ｆＤ２が宛先局で付加された雑音電力の全サブキャリアの総和の期待値として、中継局雑音電力期待値推定手段３−５−２−３に供給される。
【００７８】
中継局雑音電力期待値推定手段３−５−２−３は、数式（１８）で示されるように、宛先局雑音電力期待値推定手段３−５−２−２の出力であるｆＤ２を、中継パケット雑音電力測定手段３−５−２−１の出力であるｆＲ１Ｄ２から減算し、中継局２で付加され、かつ中継局２と宛先局３との間の伝搬路を通過した後に宛先局３で受信された雑音電力の総和の観測値をｆＲ１として求め、該ｆＲ１を数式（２０）で示されるように、中継局２と宛先局３との間の全てのサブキャリアに対する伝達係数の自乗和で正規化を行い、これを中継局２で付加される雑音電力の１サブキャリア当たりの期待値σＲ１２の推定値として、重み付け合成手段３−５へと出力する。伝達係数の取得方法としては、パケットに付加されているプリアンブル部分を利用する手法や、他の端末からのフィードバック情報を利用する手法が挙げられる。
【００７９】
次に、重み付け合成手段３−４は、サブキャリア毎の伝達係数と、雑音電力期待値推定手段３−５において推定された各雑音の電力の期待値とに対して、数式（２１）、（２２）に示されるサブキャリア毎の重み係数を用いて、受信信号に含まれるデータ信号部分を最大比合成し、該合成結果を復号手段３−６に要求する。復号手段３−６は、合成結果を情報系列に復号する。
【００８０】
次に、本実施例の動作について説明する。
本実施例では、各局の送受信の棲み分け時間により行うものとする。実施の形態の動作は以下の通りである。
【００８１】
発呼局１に入力された送信情報は、ＯＦＤＭ変調手段１−１により、ＯＦＤＭ変調が施された無線パケットに変換され、発呼局１に付加された送信アンテナにより、１つ目のタイムスロットにおいて、中継局２と宛先局３とに送信される。１つ目のタイムスロットにおいて、中継局２は、発呼局１から到来する無線パケットを受信する。該無線パケットは、復調手段２−２によりベースバンドデジタル信号に変換され、記憶される。記憶された無線パケットに対して、既知信号多重化手段２−３により、２ＯＦＤＭシンボルから構成される既知信号が付加される。既知信号が付加された無線パケットは、２つ目のタイムスロットにおいて、変調手段２−４によりベースバンドデジタル信号から無線周波数のアナログ信号に変換され、宛先局３に送信される。
【００８２】
宛先局３では、１つ目のタイムスロットにおいて、発呼局１から直接到来する無線パケットが受信され、復調手段３−１によりベースバンドデジタル信号に変換され、高速フーリエ変換３−２によりサブキャリア毎の受信ベースバンド信号に変換された後に、無線パケット記憶手段３−３へ入力され、２つ目のタイムスロットに至るまでの間、記憶される。受信信号の高速フーリエ変換手段３−２の出力のうち、既知信号に該当する部分（例えば、無線パケットに含まれるプリアンブル部分）は、雑音電力期待値推定手段３−５を構成する、直接受信パケット雑音電力期待値推定手段３−５−１にも入力される。
【００８３】
直接受信パケット雑音電力期待値推定手段３−５−１では、１つ目の既知信号に対応する受信信号ｐ１１（ｉ）と、２つ目の既知信号に対応する受信信号ｐ１２（ｉ）とから、発呼局１から直接受信される無線パケットの既知信号部分に含まれる雑音電力の観測値ｆＤ１が導出され、ｆＤ１／（２Ｉ）がσＤ１２の推定値として、重み付け合成手段３−４に供給される。
【００８４】
２つ目のタイムスロットにおいては、宛先局３は、中継局２から中継された無線パケットを受信する。受信された無線パケットの信号には、中継局２で付加された雑音と、宛先局３で付加された雑音との双方を含むので、それぞれの雑音の期待値を、中継パケット雑音電力期待値推定手段３−５−２において、以下の手法で導出する。
【００８５】
まず、中継局２において付加された既知信号に対応する受信信号が、宛先局雑音電力期待値推定手段３−５−２−２に入力され、雑音電力の観測値ｆＤ２が導出され、ｆＤ２／（２Ｉ）がσＤ２２の推定値として重み付け合成手段３−４に供給されるとともに、雑音電力の観測値ｆＤ２が宛先局３で付加された雑音電力の全サブキャリアの総和の期待値として、中継局雑音電力期待値推定手段３−５−２−３に供給される。
【００８６】
また、中継パケット雑音電力測定手段３−５−２−１では、中継された無線パケットの受信信号に含まれる、発呼局１において付加された既知信号に対応する受信信号を用いて、中継局２で付加され、さらに中継局２と宛先局３との間の伝搬路を通過した後に宛先局３で受信された雑音と、宛先局３で付加された雑音との双方の電力観測値が、ｆＲ１Ｄ２として求められ、中継局雑音電力期待値推定手段３−５−２−３に供給される。
【００８７】
中継局雑音電力期待値推定手段３−５−２−３では、宛先局雑音電力期待値推定手段３−５−２−２の出力であるｆＤ２が、中継パケット雑音電力測定手段３−５−２−１の出力であるｆＲ１Ｄ２から減算され、中継局２で付加され、さらに中継局２と宛先局３の間の伝搬路を通過した後に宛先局３において受信された雑音電力の総和の観測値をｆＲ１として求められ、次に、ｆＲ１が中継局２と宛先局３との間の全てのサブキャリアに対する伝達係数の自乗和で正規化され、中継局２において付加される雑音電力の１サブキャリア当たりの期待値σＲ１２の推定値として、重み付け合成手段３−５に供給される。
【００８８】
次に、重み付け合成手段３−４では、サブキャリア毎の伝達係数と、雑音電力期待値推定手段３−５において推定された各雑音の電力の期待値とから、サブキャリア毎の重み係数を用いて、受信信号に含まれるデータ信号部分が最大比合成される。そして、復号手段３−６において、合成結果が情報系列に復号される。
【００８９】
上述した実施例の特性例として、計算機シミュレーションを用いて特性評価を行なった。図２は、本実施例の計算機シミュレーションの条件を示す図である。基本パラメータは、ＩＥＥＥ８０２．１１ａ無線ＬＡＮ規格に従うものとし、中継局２において入力される既知信号は、ＩＥＥＥ８０２．１１ａで規定されるロングプリアンブルと同一とした。また、発呼局１から宛先局３へと直接向かう伝搬路の平均ＳＮＲ（信号対雑音電力比）は、発呼局１から中継局２への伝搬路、および中継局２から宛先局３への伝搬路の平均ＳＮＲより、３ｄＢ劣悪であるという条件を用いた。本シミュレーションでは、ｈＳＤ（ｉ）、ｈＳＲ（ｉ）、ｈＲＤ（ｉ）の平均電力を同一とした上で、σＤ１２／２＝σＲ１２＝σＤ２２という条件を用いた。
【００９０】
図３は、発呼局１から宛先局３に対して直接通信を行う場合と、協調伝送を行い、かつ雑音電力が既知である場合と、協調伝送を行い、かつ本発明を用いた場合との、それぞれに対するパケット誤り率特性を示す図である。横軸は、発呼局１から宛先局３へと直接向かう信号に含まれる雑音電力の期待値をσ２とした場合、Ｓ／σ２で表される。縦軸は、パケット誤り率である。図５から、本発明による雑音電力期待値の推定を用いた場合においても、雑音電力の期待値が既知の場合と比較して、パケット誤り率が０．０１における所要ＳＮＲの劣化量を０．２５ｄＢに抑制するとともに、直接通信を行う場合と比較して、０．９１ｄＢのダイバーシチ利得を実現していることが分かり、その有効性を確認することができる。
【００９１】
また、図４は、直接通信を行う場合と、協調伝送を行う場合とにおける信号電力・雑音電力の比較を示す概念図である。図４（ａ）に示す直接通信の場合には、発呼局１での送信電力Ｓに対して、宛先局３では、雑音電力σ２となる。図４（ｂ９に示す協調伝送の場合には、１つ目のタイムスロットでは、発呼局１での送信電力Ｓ／２に対して、中継局２では、雑音電力σＲ１２＝σ２／２、宛先局３では、雑音電力σＤ１２＝σ２となり、２つ目のスロットでは、中継局２での送信電力Ｓ／２に対して、宛先局３では、雑音電力σＤ２２＝σ２／２となる。
【００９２】
上述した実施形態によれば、宛先局３のみで雑音電力を推定することが可能となる。これにより、他局からのフィードバック情報が不要となり、伝送効率を向上させることができる。また、パケット毎に雑音電力の期待値を推定することができるため、高速フェージング環境における伝搬路のＳＮＲの変動に対しても対応可能となる。また、雑音電力が宛先局３側で既知である場合と同様に、協調伝送を用いることによる直接通信に対するダイバーシチ利得を得ることが可能となる。
【図面の簡単な説明】
【００９３】
【図１】本発明の実施形態による協調伝送システムの各局の構成を示すブロック図である。
【図２】本実施例の計算機シミュレーションの条件を示す図である。
【図３】発呼局１から宛先局３に対して直接通信を行う場合と、協調伝送を行い、かつ雑音電力が既知である場合と、協調伝送を行い、かつ本発明を用いた場合との、それぞれに対するパケット誤り率特性を示す図である。
【図４】直接通信を行う場合と、協調伝送を行う場合とにおける信号電力・雑音電力の比較を示す概念図である。
【図５】協調無線通信システムの構成、動作を説明するためのブロック図である。
【符号の説明】
【００９４】
１  発呼局
１−１  ＯＦＤＭ変調手段
２  中継局
２−１  ＴＤＤスイッチ
２−２  復調手段
２−３  既知信号多重化手段
２−４  変調手段
３  宛先局
３−１  復調手段
３−２  高速フーリエ変換手段
３−３  無線パケット記憶手段
３−４  重み付け合成手段
３−５  雑音電力期待値推定手段
３−５−１  直接受信パケット雑音電力期待値推定手段
３−５−２  中継パケット雑音電力期待値推定手段
３−５−２−１  中継パケット雑音電力測定手段
３−５−２−２  宛先局雑音電力期待値推定手段
３−５−２−３  中継局雑音電力期待値推定手段
３−６  復号手段
【図１】
0004928487.tif 000024
【図２】
0004928487.tif 000025
【図３】
0004928487.tif 000026
【図４】
0004928487.tif 000027
【図５】
0004928487.tif 000028